(57)【要約】  弦(15)が接触する糸巻き部(３)と、弦(15)の自由な先端(16)を固定するための固定装置と備えた、弦楽器特にギター用の糸巻きである。一方で弦の位置が変わらないように弦を固定でき、僅かな費用で入手可能であり、他方で弦先端への大きな荷重に伴う弦の破損またはひび割れの危険性を、従来技術に比べて大いに減少させる弦先端の固定手段が得られるように改良されるべきである。こうした糸巻きのために、固定装置が以下の要素を有する。i)クリップ要素(８)、ii)糸巻き(１)の支え部(４)及び糸巻き(１)の締付部。また、締付部とクリップ要素(８)とは、クリップ要素(８)が締付部に沿って糸巻き(１)上を軸方向に位置を変更でき、クリップ位置にて固定できるよう設置されている。クリップ要素(８)と支え部(４)とは、それらの間に弦(15)の自由な先端(16)の長さ部分を挟み込み、かつ保持できるよう設置されている。【選択図】図４
2013522685.tif 000002
【特許請求の範囲】
【請求項１】
弦(15)が接触する巻き棒部(３)と、弦(15)の自由な先端(16)を固定するための固定装置を備えた弦楽器用の、特にギター用の糸巻きは、固定装置が以下の要素を備え、
i)クリップ要素(８)、
ii)糸巻き(１)の支え部(４，５)
iii)糸巻き(１)の締付部(６)、
締付部(６)とクリップ要素(８)とは、クリップ要素(８)が糸巻き(１)上で締付部(６)に沿って軸方向に位置を変えることができ、締め付け位置で固定できるよう設けられており、
クリップ要素(８)と支え部(４，５)とは、それらの間に弦(15)の自由な先端(16)の長い部分を挟み込みかつ保持できるように設けられている
ことを特徴とする。
【請求項２】
支え部としての周設されたカラー部材(４)が設けられた
ことを特徴とする請求項１記載の糸巻き。
【請求項３】
糸巻き(１)の軸方向において、カラー部材(４)の側に巻き棒部(３)が設けられ、カラー部材(４)の相対する側に特にカラー部材(６)に繋がる締付部(６)が設けられた
ことを特徴とする請求項２記載の糸巻き。
【請求項４】
弦(15)の自由な先端(16)が通り抜けるための少なくとも一つの切込(７)がカラー部材(４)に設けられた
ことを特徴とする請求項２または３記載の糸巻き。
【請求項５】
締付部(６)が、雄ねじを有する糸巻き(１)の一部分であり、クリップ要素(８)が、雄ねじに対応する雌ねじ(10)を有するねじ要素である
ことを特徴とする請求項１ないし４のいずれか記載の糸巻き。
【請求項６】
ねじ要素が完全に糸巻き(１)から解除可能で雄ねじを備えた部分にねじで取り付け可能なように、雄ねじを備えた部分が糸巻き(１)の自由な先端に配置されている
ことを特徴とする請求項５記載の糸巻き。
【請求項７】
ねじ要素は、摘み部(９)を、特に刻み目が設けられるか、縁が設けられるか、またはその他の方法で構造化された周囲部分を有する
ことを特徴とする請求項５または６記載の糸巻き。
【請求項８】
請求項１ないし７いずれか一記載の糸巻きを少なくとも１つ具備する
ことを特徴とする弦楽器。
【発明の詳細な説明】
【技術分野】
【０００１】
本発明は、弦楽器用糸巻きおよびこの弦楽器用糸巻きを具備した弦楽器に関する。
【背景技術】
【０００２】
弦楽器の場合、弦の先端が巻き付けられる回転可能な木製楔釘または金属製留め釘が、糸巻きと呼ばれる。また、この糸巻きにて、弦の張力を変更でき、それに伴って楽器を調律できる。例えば、ギターやバイオリンでは、これらの糸巻きは、いわゆるヘッドに配置され、現代のギターでは、糸巻きは、微細な調律も行えるように、ギヤやレンジの適切な操作によって調整できる。
【０００３】
したがって、糸巻きは、技術的な意味では、張り詰めて高い音律を得るため、または、張りを緩めて低い音律を得るために、弦の先端を巻き付けることができるシャフトである。
【０００４】
糸巻きに弦を固定するため、糸巻きは、一般的に巻き棒部に貫通する穴またはスリットを有し、これら穴またはスリットを弦の先端が挿通して、結節または撚り合せにより固定される。この種の糸巻きでは、弦の先端を固定しにくく、また特に専門的な観点で正しく固定しないと、弦の先端の固定が解除されるおそれや緩むおそれがあり、それに伴って楽器の音調が崩れる可能性がある。これに加えて、弦の先端の固定のためにこの弦の先端に取り付けられた結節または捩じり構造物が、大きな空間を占め、その結果、糸巻きのために必要な場所が比較的大きくなる。
【０００５】
このような問題点は、モータ駆動の自動的な調律システムの構成要素として弦の張力を調整する糸巻きでも、影響を及ぼす。特に、楽器の再現可能な調律のために固定された弦の先端の高い安定度が問題となる。モータ駆動の調整についても、糸巻きへの弦の先端の巻き付けを可能な限り均等に行うことが重要だが、糸巻きに配置された結節またはそれに類する輪結びの場合、そこで弦が常に、結節または輪結びにより形成されて高くなった部分に接触するため、なかなか難しい。
【０００６】
そして、例えばクリップの針が弦の一点に導かれ、弦がこのクリップの針と支えのと間で張り詰められることにより、弦の先端を間欠的にクリップ留めして糸巻きに固定する実験が行われた。しかし、その際、確実な保持のために生み出される力が大きくなっただけでなく、特に大きな力および弦へのその間欠的な導入のため、弦のひび割れまたは破損の危険性が高くなることが明らかになった。楽器の演奏の最中に、こうした弦のひび割れまたは破損が生じると、演奏を中断しなければならず、また演奏が続けられるように新しい弦を張らなければならない。また、新しい弦のために生じる費用の他に、演奏の中断により他者へも迷惑をかけてしまうため、こうした弦の固定実験の明らかな欠陥を示している。
【発明の概要】
【発明が解決しようとする課題】
【０００７】
糸巻きへの弦の先端の固定手段、または、一方では、滑って位置が変わらないような弦の先端の強固な固定を僅かな費用で可能にし、他方では、弦の先端の過度に大きな荷重がかかり弦の破損またはひび割れが発生する危険性を、従来の技術に比べて著しく減らす糸巻き自体を示さなければならない。
【課題を解決するための手段】
【０００８】
この課題は、請求項１の特徴を備えた弦楽器用の糸巻きによって解決される。また、本発明における糸巻きの好適な他の構成は、従属項２ないし従属項７に示されている。さらに、本発明を使って、更に好適に形成された新種の糸巻きを備えた弦楽器が示されている。
【０００９】
本発明に従った構成では、特にギターのために、また他の弦楽器のために使用できる弦楽器用の糸巻きが、弦が接触する巻き棒部と、弦の自由な先端を固定するための固定装置を備える。この固定装置は、クリップ要素と、糸巻きの支え部と、糸巻きの締付部とを有する。また、締付部とクリップ要素とは、クリップ要素が締付部に沿って糸巻き上を軸方向に位置を変えることができ、また締め付け位置において固定できるよう設けられている。さらに、クリップ要素と支え部とは、それらの間に弦の自由な先端を挟み込みかつ保持できるように設けられている。この場合、弦の自由端である先端部とは、明らかに長い延長部を持ち、またその限りにおいて間欠的に挟み込むべき弦の一区画から区別される長く延びた部分と理解できる。
【００１０】
本発明に従って構成された糸巻きでは、固定されるべき、またその張力と調律に関して糸巻きと共に調節されるべき弦の先端は、弦の自由な先端の対応する長さ部分が、支え部に配置されかつ糸巻き上を締付部に沿って移動するクリップ要素を用いて締め付けられるので、単に固定できるだけではない。その際、弦の先端の締め付けは、特に非常に適切な位置に安定して行うことができ、その結果、例えば従来の構成の場合のように、結節の緩みまたは固定部からの外れを懸念する必要がないとともに、それによって惹き起こされる弦の不調を気遣うこともない。長さ部分に沿った弦が、明らかに間欠的な締め付けから逸脱し、支え部とクリップ要素との間のその長さの部分を介して挟み込まれることにより、発生した締付力が弦の広い範囲に配分され、その結果、ピーク荷重や、ピーク荷重による弦の破損またはひび割れに至るおそれがない。
【００１１】
支え部としては、特に周設されたカラー部材が好適である。この周設されたカラー部材は、糸巻きの軸の径方向に突出し、糸巻きの軸を中心として大きな周囲部分(ほぼ360°に達する)に設けられ、次いでこの全長さ部分と一緒に、クリップ要素を用いて挟み込むことができる弦の先端部分の支えとして作用する。こうした周設されたカラー部材は、密な構成空間の場合でも、弦の先端を著しく長い延長部を介して締め付け、また締付力を弦の広い部分に配分する。このため、既に述べたピーク荷重の軽減とともに、弦の先端のより長くかつより大きな部分を介して締め付けが行われ、締付力および摩擦力により保持されるので、改善された支えとなる。
【００１２】
この解決策の意味する周設されたカラー部材とは、特に請求項４に挙げられたような、糸巻きを中心とする範囲に沿って部分的に切断された例えば一つまたは複数の切込を有するカラー部材と理解することもできる。このような切込は、特に、カラー部材の縁にて弦の折れ目を形成させることなく、例えば弦の先端を、巻き棒部が配置された(請求項３を参照)カラー部材の一方側から、カラー部材の支え面を介して、例えば締付部が配置された(請求項３を参照)相対する他方側面に導くために利用できる。巻き棒部に向う引き込み部分としての切込を通って、カラー部材の側面から弦の先端をこのように導く際において鋭角に方向転換する場合に、その中でも特に、振動する弦のために摩擦が生じる場合に常に弱点を示す弦の先端を、再び弦の有効寿命(耐摩耗性)に役立つように、比較的ゆるやかに曲げた半径にて導くことができる。
【００１３】
発明のその他の好適な形態では、締付部は、雄ねじを備えた糸巻き部を有し、またクリップ要素は、雄ねじに対応する雌ねじを有するねじ要素である構成にしてもよい。この種の解決策は、特に簡単な操作を生み出すとともに、雄ねじおよび雌ねじのピッチとその他の構成の適切な選択により、クリップ要素が支えに接触する弦を圧迫することによって発揮された締付力で保持するその位置において、雄ねじと雌ねじとの間の確実な螺着を可能にする。
【００１４】
また、ねじ要素が完全に糸巻きから解除され、雄ねじを有する締付部にねじで取り付け可能な構成で、雄ねじを有する部分が糸巻きの自由な先端に配置されていれば、特に好適である。この種の構成は、特に、部品の簡単な交換とメンテナンスを可能にする。当然のことながら、例えばねじ止めできるクリップ要素を間違って開き過ぎたときに紛失しないために、雄ねじを有する糸巻き部から簡単には解除されないように、ねじ要素を形成することも可能である。
【００１５】
ねじ要素は、操作性の向上のために、特に刻み目が設けられるか、縁が設けられるか、または、その他の方法で構造化し、外延部分として形成された摘み部を有していると好適である。こうしたローレットねじを用いることにより、又はその他の方法により摘み構造を有するねじ要素を用いることにより、工具なしの操作が、特に容易に可能である。
【図面の簡単な説明】
【００１６】
【図１】図１ａないし図１ｄは、本発明における糸巻きの第１の実施の形態の異なる状態を示す図面であり、図１ａは、糸巻きの側面図であり、図１ｂは図１ａの右側を示す正面図であり、図１ｃは図１ａに対し糸巻きの縦軸を中心に90°回転させた側面図であり、図１ｄは斜視図である。
【図２】図２ａおよび図２ｂは、第２の先端を固定するための装置を図解する図１に示す糸巻きとともに作用する締付ねじを示す。
【図３】図３は、図２に示す締付ねじを含む図１に示す糸巻きと、この実施の形態のために企図された２つのケーシング部を示す分解立体図である。
【図４】図４は、分解立体図の図３に示すユニットを、糸巻きに接触しかつ本発明に従った締付装置で固定された弦の先端と共に組立てられた形で示す。
【発明を実施するための形態】
【００１７】
発明のその他の利点および特徴は、図面を用いた以下の実施の形態の説明から明らかである。
【００１８】
各図には、ギター特に電気ギター用糸巻きの一実施の形態が示されている。示された図は、図式的なものであり、完全な設計図ではない。これらは、単に発明を説明するための実施の形態の解説および説明に用いただけである。
【００１９】
図１ａないし図１ｄには、４つの異なる図面で、本発明に従った糸巻きにおいて、楽器の弦の先端を固定するための固定装置にクリップ要素が設けられていない状態が示されている。糸巻き１は、長く延びた部品であり、技術的に見ると１つのシャフトである。この糸巻きの一方の先端には、例えば糸巻き１の回転調整をするためのハンドル車駆動の駆動装置といった、調整機構と結合させるための結合部２が設けられている。
【００２０】
また、糸巻き１は、弦の張力を大きくするか小さくするかにより、弦の音の調子を調整するために、楽器の弦を巻き付け可能、または、弦を巻き戻し可能な巻き棒部３を有する。結合部２に相対する側では、巻き棒部３が、一方で弦のための側面ストッパーまたは巻き棒部３の端部となり、他方で巻き棒部３に相対する側で支え面５を形成する周設されたカラー部材４によって制限されているが、その機能は後述する。巻き棒部３に相対するカラー部材４の側には、結合部２に相対する糸巻き１の自由な先端を構成する締付部６が続いている。締付部６は、ここでは詳しく示されていないが、後で更に説明する方式で、クリップ要素の雌ねじと共に作用する雄ねじを有している。
【００２１】
カラー部材４には、互いに径方向に相対する位置に、カラー部材４が巻き棒部の外周と同一の位置まで切り取られて形成された切込７が予め設けられている。この切込７は、巻き棒部３から、この巻き棒部３相対する支え面５のカラー部材４の側への、弦または弦の先端の引き込みに使用できる。
【００２２】
図２には、クリップ要素としての締付ねじ８が示されている。この締付ねじは、略円筒形に形成され、外周面に締付ねじの摘み部分を形成する刻み目９を有している。この刻み目９は、摘みとしての操作性を向上させ、片手の指２本での締付ねじ８の簡単な操作を可能にする。
【００２３】
特に図２ｂに示すように、締付ねじ８は、内側に、図２には詳細に図示されていないが、符号10が付された雌ねじを備えている。この雌ねじは、糸巻き１の締付部６に形成された雄ねじに対応するよう形成されており、また締付部６を用いて糸巻き１の自由な先端に締付ねじ８を螺着するため、雄ねじとかみ合わせることができる。このようにして、締付ねじ８を、糸巻き１の軸方向に取り外し可能に螺着できる。特に締付面17により、支え面５に押し付けることができる。
【００２４】
図３は、分解立体図で、締付ねじ８と糸巻き１の組立て、および、糸巻き１に接続される駆動機構のケーシングを示す。この駆動機構のケーシングは、それに合わせて成形されたケーシングの蓋を含むガイド部11と、駆動ユニットが配置されているケーシング部13とから構成される。このガイド部11は、糸巻き１が回転可能なように軸受に取り付けられたガイドスリーブ12を備えている。ケーシング部13には、開口部14が設けられており、例えば糸巻き１の回転角位置の手動調整のために摘みねじを用いて、開孔部14を通って駆動軸を挿通できる。
【００２５】
ここに示された構造は、糸巻き１のモータ駆動のために設けられているが、ケーシング部13にモータを、場合によっては伝動ユニットを含めて設置してもよい。
【００２６】
最後に、図４には、図３に分解立体図で示した部分を組立てた状態が示されており、本発明に従った構成において、自由な先端とともに弦15がどのように巻き棒部３に接触し、固定装置を用いて固定されているかが示されている。弦15は、既に述べたように、巻き棒部３に接触し、その自由な先端が、カラー部材４の切れ込み７を通って通り抜け、カラー部材４の支え面に沿ってほぼ360°円形に載置される。締付ねじ８は、糸巻き１の締付部に螺着され、またその締付面により弦15の自由な先端16に押し付けられ、この自由な先端16をカラー部材４の支え面に対して締め付ける。
【００２７】
弦15の自由な先端16は、手で簡単かつ素早く、糸巻き１に固定できる。ただし、自由な先端16をカラー部材４の支え面５に配置し、また締付ねじ８をカラー部材４とその支え面５の方向に螺着し、そして弦15の自由な先端16を支え面５と締付面17の間に挟み込むことだけが必要である。図４に示すように、その際、締め付けは、弦15の自由な先端16の非常に長い部分を介して行われ、その結果、弦15のより長い範囲に配分された力が分散し、また周知技術のように間欠的ではなくなる。これが、弦のひび割れまたは破損の危険性を明らかに軽減する。さらに、弦15の自由な先端16を、一方ではカラー部材４の切れ込み17を通して通り抜けられるように、また他方ではカラー部材４の軸受面５でとじ込められるように、自由な先端16が曲げられる半径は、比較的大きく、弦15に大きな荷重の発生を抑制できる。
【符号の説明】
【００２８】
１    糸巻き
２    結合部
３    巻き棒部
４    カラー部材
５    支え面
６    締付部
７    切込
８    締付ねじ
９    刻み目
10    雌ねじ
11    ガイド部
12    ガイドスリープ
13    ケーシング部
14    開口部
15    弦
16    自由な先端
17    締付面
【図１ａ）】
2013522685.tif 000003
【図１ｂ）】
2013522685.tif 000004
【図１ｃ）】
2013522685.tif 000005
【図１ｄ）】
2013522685.tif 000006
【図２ａ）】
2013522685.tif 000007
【図２ｂ）】
2013522685.tif 000008
【図３】
2013522685.tif 000009
【図４】
2013522685.tif 000010
【国際調査報告】
2013522685.tif 000011
2013522685.tif 000012
2013522685.tif 000013
2013522685.tif 000014